(57)【要約】フレッシュニング組成物が提供される。フレッシュニング組成物は、組成物の重量に基づいて、約０．０２重量％〜約１．０重量％の硫黄含有プロ香料を含む。フレッシュニング組成物は、組成物の重量に基づいて、約０．２重量％〜約１．４重量％の香料混合物であって、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される少なくとも１つの香料原料を含む、香料混合物をさらに含む。フレッシュニング組成物はまた、担体も含む。
2019510566.tif 000002
【特許請求の範囲】
【請求項１】
フレッシュニング組成物であって、
前記組成物の重量に基づいて、約０．０２重量％〜約１．０重量％の硫黄含有プロ香料と、
前記組成物の重量に基づいて、約０．２重量％〜約１．４重量％の香料混合物であって、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される少なくとも１つの前記香料原料を含む、香料混合物と、
担体と、
を含む、フレッシュニング組成物。
【請求項２】
前記フレッシュニング組成物が、約３〜約８．５の範囲、より好ましくは約４〜約６．５の範囲のｐＨを有する、請求項１に記載のフレッシュニング組成物。
【請求項３】
カルボン酸をさらに含み、好ましくは前記カルボン酸が、クエン酸又はポリアクリル酸である、請求項１〜２のいずれか一項に記載のフレッシュニング組成物。
【請求項４】
二級又は三級アミンをさらに含み、カルボン酸と二級アミン又は三級アミンとの重量比が３：１以上である、請求項３に記載のフレッシュニング組成物。
【請求項５】
前記香料混合物がアントラニル酸ジメチルをさらに含む、請求項４に記載のフレッシュニング組成物。
【請求項６】
前記フレッシュニング組成物が、該フレッシュニング組成物の重量で、重量比約３：１〜約３５：１、より好ましくは約８：１〜約２５：１、最も好ましくは約１０：１〜約２０：１の香料混合物と硫黄含有プロ香料とを含む、請求項１〜５のいずれか一項に記載のフレッシュニング組成物。
【請求項７】
前記フレッシュニング組成物の重量で、約０．０２重量％〜約１．０重量％、好ましくは約０．０２重量％〜約０．８重量％、より好ましくは約０．０３重量％〜約０．３重量％、最も好ましくは約０．０３重量％〜約０．０９重量％の濃度で存在する、請求項１〜６のいずれか一項に記載のフレッシュニング組成物。
【請求項８】
前記硫黄含有プロ香料がＣ４〜Ｃ１２のチオ−ダマスコンである、請求項１〜７のいずれか一項に記載のフレッシュニング組成物。
【請求項９】
前記フレッシュニング組成物が透明又は半透明のスプレーディスペンサに入れられている、請求項１〜８のいずれか一項に記載の製品。
【請求項１０】
前記フレッシュニング組成物がプラスチック製スプレーディスペンサに入れられている、請求項１〜９のいずれか一項に記載の製品。
【請求項１１】
空気を清浄にする方法であって、
前記組成物の重量に基づいて、約０．０２重量％〜約１．０重量％の硫黄含有プロ香料と、
前記組成物の重量に基づいて、約０．２重量％〜約１．４重量％の香料混合物であって、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される少なくとも１つの香料原料を含む、前記香料混合物と、
担体と、
を含むフレッシュニング組成物を用意する工程と、
噴霧液滴の形態で、空気中に前記フレッシュニング組成物を噴霧する工程と、
を含む、空気を清浄にする方法。
【請求項１２】
前記噴霧液滴が、約１０マイクロメートル〜約１００マイクロメートルの平均粒子サイズを有する、請求項１１に記載の方法。
【請求項１３】
前記フレッシュニング組成物が透明又は半透明のスプレーディスペンサに入れられている、請求項１１又は１２に記載の方法。
【請求項１４】
前記フレッシュニング組成物を噴霧する工程が、約０．１ｇ／ｓ〜約２．５ｇ／ｓの範囲の流速で前記フレッシュニング組成物を噴霧することをさらに含む、請求項１１〜１３のいずれか一項に記載の方法。
【請求項１５】
前記フレッシュニング組成物が、該フレッシュニング組成物の重量で、重量比約３：１〜約３５：１、より好ましくは約８：１〜約２５：１、最も好ましくは約１０：１〜約２０：１の香料混合物と硫黄含有プロ香料とを含む、請求項１１〜１４のいずれか一項に記載の方法。
【発明の詳細な説明】
【技術分野】
【０００１】
本開示は、硫黄含有プロ香料を含むフレッシュニング組成物を含めた、安定な長期持続性フレッシュニング製品、及びフレッシュニング組成物を用いて空気を清浄にする方法に関する。
【背景技術】
【０００２】
布地などの無生物表面上及び空気中の香りと共に悪臭を低減又はマスキングするためのフレッシュニング組成物が、現在入手可能であり、特許文献中に記載されている。無生物表面上及び空気中に長期持続性の香りを送達することが可能な組成物も存在する。一部の組成物は、空気中に長期持続性の香り又はフレッシュ感をもたらすために、多量の香料を含有している。しかし、このような組成物は、この製品が空気に最初に送達された後、空気中に多量の香りを送達することがある。
【０００３】
さらに、組成物が製品の製造後の数か月にわたって空気を清浄にするのに有効であるように、フレッシュニング組成物は、比較的長期の保存寿命を有していることが重要となり得る。一部のフレッシュニング組成物は、悪臭を中和するために使用される有効成分を含有している。しかし、悪臭を低減するための有効成分を有するこのような長期持続性組成物は、不安定であるか、又は当該組成物の他の成分と反応しやすいおそれがある。これは、特に酸化の影響をより受けやすい場合がある水性組成物に当てはまり得る。
【発明の概要】
【発明が解決しようとする課題】
【０００４】
したがって、経時的に比較的一定の香りを送達すると同時に、空気に対して長期持続性のフレッシュ感をもたらすフレッシュニング組成物を提供することは有益である。
【０００５】
さらに、比較的長期の保存寿命を有するフレッシュニング組成物を用いて、空気に長期持続性のフレッシュ感を送達するのが有益である。
【課題を解決するための手段】
【０００６】
Ａ．フレッシュニング組成物であって、
組成物の重量に基づいて、約０．０２重量％〜約１．０重量％の硫黄含有プロ香料と、
組成物の重量に基づいて、約０．２重量％〜約１．４重量％の香料混合物であって、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される少なくとも１つの香料原料を含む、香料混合物と、
担体と、
を含む、フレッシュニング組成物。
Ｂ．約３〜約８．５の範囲、より好ましくは約４〜約６．５の範囲のｐＨを有する、段落Ａのフレッシュニング組成物。
Ｃ．カルボン酸をさらに含み、好ましくはカルボン酸がクエン酸又はポリアクリル酸である、段落Ａ〜Ｂのいずれかによるフレッシュニング組成物。
Ｄ．二級又は三級アミンをさらに含み、フレッシュニング組成物が、カルボン酸と二級アミン又は三級アミンとの重量比が３：１以上であることを含む、段落Ａ〜Ｃによるフレッシュニング組成物。
Ｅ．香料混合物が、アントラニル酸ジメチルをさらに含む、段落Ａ〜Ｄのフレッシュニング組成物。
Ｆ．フレッシュニング組成物が、当該フレッシュニング組成物の重量で、重量比約３：１〜約３５：１、より好ましくは約８：１〜約２５：１、最も好ましくは約１０：１〜約２０：１の香料混合物と硫黄含有プロ香料とを含む、段落Ａ〜Ｅのいずれかによるフレッシュニング組成物。
Ｇ．硫黄含有プロ香料が、フレッシュニング組成物の重量で、約０．０２重量％〜約１．０重量％、好ましくは約０．０２重量％〜約０．８重量％、より好ましくは約０．０３重量％〜約０．３重量％、最も好ましくは約０．０３重量％〜約０．０９重量％の濃度で存在する、段落Ａ〜Ｆのいずれかによるフレッシュニング組成物。
Ｈ．硫黄含有プロ香料がＣ４〜Ｃ１２のチオ−ダマスコンである、段落Ａ〜Ｇのいずれかによるフレッシュニング組成物。
Ｉ．段落Ａ〜Ｈのいずれかによるフレッシュニング組成物を含む製品であって、製品が噴射剤を含む、製品。
Ｊ．噴射剤が圧縮ガス又は炭化水素を含む、段落Ｉの製品。
Ｋ．フレッシュニング組成物が透明又は半透明のスプレーディスペンサに入れられている、段落Ｉ〜Ｊのいずれかによる製品。
Ｌ．フレッシュニング組成物がプラスチック製スプレーディスペンサに入れられている、段落Ｉ〜Ｋのいずれかによる製品。
Ｍ．フレッシュニング組成物が水性組成物である、段落Ａ〜Ｌのいずれかによるフレッシュニング組成物。
Ｎ．フレッシュニング組成物が一級アミンを含まない、段落Ａ〜Ｍのいずれかによるフレッシュニング組成物。
Ｏ．空気を清浄にする方法であって、
組成物の重量に基づいて、約０．０２重量％〜約１．０重量％の硫黄含有プロ香料と、
組成物の重量に基づいて、約０．２重量％〜約１．４重量％の香料混合物であって、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される少なくとも１つの香料原料を含む、香料混合物と、
担体と、
を含む、フレッシュニング組成物を用意する工程と、
噴霧液滴の形態で、空気中にフレッシュニング組成物を噴霧する工程と、
を含む、空気を清浄にする方法。
Ｐ．噴霧液滴が、約１０マイクロメートル〜約１００マイクロメートルの平均粒子サイズを有する、段落Ｏの方法。
Ｑ．フレッシュニング組成物がスプレーディスペンサに入れられており、スプレーディスペンサが圧縮ガス噴射剤をさらに含む、段落Ｏ〜Ｐのいずれかによる方法。
Ｒ．スプレーディスペンサがプラスチックを含む、段落Ｏ〜Ｑのいずれかによる方法。
Ｓ．スプレーディスペンサが透明又は半透明である、段落Ｑ又はＲの方法。
Ｔ．フレッシュニング組成物がスプレーディスペンサに入れられており、スプレーディスペンサが炭化水素噴射剤をさらに含む、段落Ｏ〜Ｓのいずれかによる方法。
Ｕ．フレッシュニング組成物を噴霧する工程が、約０．１ｇ／ｓ〜約２．５ｇ／ｓの範囲の流速で、フレッシュニング組成物を噴霧する工程をさらに含む、段落Ｏ〜Ｔのいずれかによる方法。
Ｖ．フレッシュニング組成物が、カルボン酸をさらに含み、カルボン酸が、好ましくは、クエン酸又はポリアクリル酸である、段落Ｏ〜Ｕのいずれかによる方法。
Ｗ．フレッシュニング組成物が二級又は三級アミンをさらに含む、段落Ｏ〜Ｖのいずれかによる方法。
Ｘ．フレッシュニング組成物が、カルボン酸と二級アミン又は三級アミンとの重量比が３：１以上であることを含む、段落Ｗの方法。
Ｙ．フレッシュニング組成物が水性組成物である、段落Ｏ〜Ｘのいずれかによる方法。
Ｚ．フレッシュニング組成物が一級アミンを含まない、段落Ｏ〜Ｘのいずれかによる方法。フレッシュニング組成物が一級アミンを含まない、段落Ｏ〜Ｘのいずれかによる方法。
ＡＡ．フレッシュニング組成物が、フレッシュニング組成物の重量で、重量比約３：１〜約３５：１、より好ましくは約８：１〜約２５：１、最も好ましくは約１０：１〜約２０：１の香料混合物と硫黄含有プロ香料とを含む、段落Ｏ〜Ｚのいずれかによる方法。
ＢＢ．硫黄含有プロ香料が、フレッシュニング組成物の重量で、約０．０２重量％〜約１．０重量％、好ましくは約０．０２重量％〜約０．８重量％、より好ましくは約０．０３重量％〜約０．３重量％、最も好ましくは約０．０３重量％〜約０．０９重量％の濃度で存在する、段落Ｏ〜ＡＡのいずれかによる方法。
ＣＣ．硫黄含有プロ香料がＣ４〜Ｃ１２のチオ−ダマスコンである、段落Ｏ〜ＢＢのいずれかによる方法。
ＤＤ．フレッシュニング組成物が、約３〜約８．５の範囲のｐＨを有する、段落Ｏ〜ＣＣのいずれかによる方法。
ＥＥ．フレッシュニング組成物が、約４〜約６．５の範囲のｐＨを有する、段落Ｏ〜ＤＤのいずれかによる方法。
ＦＦ．
硫黄含有プロ香料と、
アルデヒド又はケトンを含む香料混合物と、
二級又は三級アミンと、
カルボン酸緩衝剤と
水性担体と、を含むフレッシュニング組成物であって、当該組成物の、組成物の重量に基づく、二級又は三級アミンに対するカルボン酸緩衝剤の重量比が３：１以上である、フレッシュニング組成物。
ＧＧ．組成物が一級アミンを含まない、段落ＦＦのフレッシュニング組成物。
ＨＨ．香料混合物が、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される香料原料を含む、段落ＦＦ〜ＧＧのいずれかによるフレッシュニング組成物。
ＩＩ．フレッシュニング組成物が、約３〜約８．５、より好ましくは約４〜約６．５の範囲のｐＨを有する、段落ＦＦ〜ＨＨのいずれかによるフレッシュニング組成物。
ＪＪ．カルボン酸緩衝剤がクエン酸又はポリアクリル酸である、段落ＦＦ〜ＩＩのいずれかによるフレッシュニング組成物。
ＫＫ．フレッシュニング組成物が、当該フレッシュニング組成物の重量で、重量比約３：１〜約３５：１、より好ましくは約８：１〜約２５：１、最も好ましくは約１０：１〜約２０：１の香料混合物と硫黄含有プロ香料とを含む、段落ＦＦ〜ＪＪのいずれかによるフレッシュニング組成物。
ＬＬ．硫黄含有プロ香料が、フレッシュニング組成物の重量で、約０．０３重量％〜約０．０９重量％の濃度で存在し、硫黄含有プロ香料が、フレッシュニング組成物の重量で、約０．０２重量％〜約１．０重量％、好ましくは約０．０２重量％〜約０．８重量％、より好ましくは約０．０３重量％〜約０．３重量％、最も好ましくは約０．０３重量％〜約０．０９重量％の濃度で存在する、段落ＦＦ〜ＫＫのいずれかによるフレッシュニング製品。
ＭＭ．硫黄含有プロ香料がＣ４〜Ｃ１２のチオ−ダマスコンである、段落ＦＦ〜ＬＬのいずれかによるフレッシュニング組成物。
ＮＮ．段落ＦＦ〜ＭＭのいずれかによるフレッシュニング組成物を含む製品であって、製品が圧縮ガス又は炭化水素噴射剤を含む、製品。
ＯＯ．フレッシュニング組成物が、透明又は半透明のスプレーディスペンサに入れられている、段落ＮＮのいずれかによる製品。
ＰＰ．フレッシュニング組成物がプラスチック製スプレーディスペンサに入れられている、段落ＮＮ〜ＯＯのいずれかによる製品。
【図面の簡単な説明】
【０００７】
【図１】組成物Ａ〜Ｄの初期及び経時後のｂ＊値をプロットしたグラフである。
【図２】組成物Ｅ〜Ｈの初期及び経時後のｂ＊値をプロットしたグラフである。
【図３】組成物Ｉ〜Ｒの初期及び経時後のｂ＊値をプロットしたグラフである。
【発明を実施するための形態】
【０００８】
本開示のフレッシュニング組成物は、空気中又は無生物表面上への香りの放出が継続するよう設計されている。フレッシュ感及び悪臭低減のこのような延長は、フレッシュニング組成物により空間を処理した後、少なくとも約４時間、又は少なくとも約６時間、又は少なくとも約８時間、又は少なくとも約２４時間、又は少なくとも約４８時間持続し得る。本開示のフレッシュニング組成物はまた、長時間にわたり、比較的一定した香りを送達することもできる。さらに、本開示のフレッシュニング組成物は、延長された保存寿命にわたって安定であるよう設計することができる。
【０００９】
本開示のフレッシュニング組成物は、硫黄含有プロ香料、香料原料、及び担体を含む。
【００１０】
硫黄含有プロ香料、
用語「硫黄含有プロ香料」は、本明細書において、硫黄を含有するタイプのプロ香料化合物を指す。用語「プロ香料」は、本明細書において、香料原料（「ＰＲＭｓ」又は、単数として「ＰＲＭ」）と他の化学物質との反応から得られる化合物を指し、１つ以上のＰＲＭとこれらの他の化学物質との間に共有結合を有する。ＰＲＭはプロ香料化合物と呼ばれる新たな原料に変換され、次に、これは水又は光又は大気中の酸素などの誘因への曝露時に元のＰＲＭ（すなわち、変換前）を放出してもよい。好適なプロ香料化合物及びその作製方法は、米国特許第７，０１８，９７８号、同第６，８６１，４０２号、同第６，５４４，９４５号、同第６，０９３，６９１号、同第６，１６５，９５３号、及び同第６，０９６，９１８号に見出すことができる。
【００１１】
本明細書の硫黄含有プロ香料は、式（Ｉ）の化合物：
Ｙ−Ｓ−Ｇ−Ｑ                        （Ｉ）
（式中、
（ｉ）Ｙは、異性体を含む、本明細書において以下に示す（Ｙ−１）〜（Ｙ−７）からなる群から選択されるラジカルであり、
【００１２】
【化１】
2019510566.tif 000003
（式中、波線はイオウ（Ｓ）結合の位置を表し、点線は単結合又は二重結合を表す）
（ｉｉ）Ｇは、２〜１５個の炭素原子を有する直鎖又は分岐鎖アルキル又はアルケニルラジカルから誘導される、二価又は三価のラジカルから選択され、
（ｉｉｉ）Ｑは、水素、−Ｓ−Ｙ基、又は−ＮＲ２−Ｙ基から選択され、Ｙは、上記で定義されているとおり独立して選択され、Ｒ２は、水素又はＣ１〜Ｃ３アルキル基から選択される）を含むことができる。
【００１３】
Ｇは、二価又は三価のラジカル、好ましくは、−ＯＲ１、−ＮＲ１２、−ＣＯＯＲ１、Ｒ１基及びそれらの組合せからなる群から選択される１つ又は複数の基により置換されている、２〜１５個の炭素原子を有する直鎖又は分枝鎖アルキル又はアルケニルラジカルに由来する二価のラジカルであってよく、Ｒ１は、水素又はＣ１〜Ｃ６アルキル又はアルケニル基から選択される。好ましくは、Ｇは、少なくとも１つの−ＣＯＯＲ１基、好ましくは所定の−ＣＯＯＲ１基により置換されている、２〜１５個の炭素原子を有する直鎖又は分岐鎖アルキル又はアルケニルラジカルに由来する二価のラジカルであり、Ｒ１は、水素又はＣ１〜Ｃ６アルキル又はアルケニル基から選択される。さらにより好ましくは、Ｇは、−ＣＨ２ＣＨ（ＣＯＯＲ１）基を有する直鎖アルキルラジカルに由来する二価のラジカルであり、Ｒ１は、水素又はメチル基又はエチル基である。Ｇは、置換又は無置換のどちらかの、８〜１５個の炭素原子を有する直鎖アルキルラジカルに由来する二価のラジカルとすることができる。
【００１４】
硫黄含有プロ香料は、式（Ｉ）の化合物であってもよく、式中、Ｙは、上記で定義されているＹ−１、Ｙ−２又はＹ−３基から選択され、Ｇ及びＱは、上記の例のいずれか１つに定義されている。硫黄含有プロ香料は、スルフィドであってもよい。
【００１５】
好ましくは、硫黄含有プロ香料は、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプタ−６−エン−３−オン、３−（ドデシルチオ）−５−イソプロペニル−２−メチルシクロヘキサノン、及びこれらの組合せからなる群から選択される。
【００１６】
より好ましくは、硫黄含有プロ香料化合物は、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン１−イル）−２−ブタノン、４−（ドデシルチオ）−４−（２，６，６−トリメチルシクロヘキサ−１−エン−１−イル）−２−ブタノン及び３−（ドデシルチオ）−５−イソプロペニル−２−メチルシクロヘキサノン、及びそれらの組合せからなる群から選択される。３−（ドデシルチオ）−１−（２，６，６−トリメチルシクロヘキサ−３−エン−１−イル）−１−ブタノンが、Ｇｅｎｅｖａ（スイス）にあるＦｉｒｍｅｎｉｃｈから入手可能なＨａｌｏｓｃｅｎｔ（登録商標）Ｄなどの、最も好ましい硫黄含有プロ香料化合物である。
【００１７】
硫黄含有プロ香料化合物は、組成物中に様々な濃度で存在することができる。好ましくは、硫黄含有プロ香料化合物は、組成物の約０．０１重量％〜約１．０重量％、代替として、約０．０２重量％〜約０．８重量％、代替として、約０．０３重量％〜約０．５重量％、代替として、約０．０３重量％〜約０．３重量％、代替として、約０．０３重量％〜約０．０９重量％、代替として、少なくとも約０．０２重量％、代替として、少なくとも約０．０３重量％、代替として、少なくとも約０．０４重量％、代替として、少なくとも約０．０５重量％の量で存在する。
【００１８】
本フレッシュニング組成物は、以下に示されている一般構造を有するドデシルチオ−ダマスコンを含んでもよい。
【００１９】
【化２】
2019510566.tif 000004
【００２０】
チオ−ダマスコンは、組成物の約０．０１重量％〜約１．０重量％、代替として、約０．０２重量％〜約０．８重量％、代替として、約０．０３重量％〜約０．５重量％、代替として、約０．０３重量％〜約０．３重量％、代替として、約０．０３重量％〜約０．０９重量％、代替として、少なくとも約０．０２重量％、代替として、少なくとも約０．０３重量％、代替として、少なくとも約０．０４重量％、代替として、少なくとも約０．０５重量％の量で存在することができる。
【００２１】
香料混合物
本フレッシュニング組成物はまた、少なくとも１つの香料原料（ＰＲＭ）を含む香料混合物を含む。様々なＰＲＭが使用されてもよい。本フレッシュニング組成物は、以下の香料原料の１つ又は複数を含む香料混合物を含むことができる。本明細書で使用する場合、「香料原料」とは、以下の成分、すなわち、芳香性精油；芳香化合物；プロ香料；安定化剤、賦形剤、加工剤、及び混入物質などの、芳香性精油、芳香化合物及び／又はプロ香料と共に供給される原料；並びに芳香性精油、芳香化合物及び／又はプロ香料を一般に伴う任意の原料のうちの１つ又は複数を指す。
【００２２】
ＰＲＭは、１つ又は複数のケトンを含んでもよい。ケトンを含むＰＲＭは、１つ又は複数のケトン部分を含有し、かつ望ましい香りを付与することができる任意のＰＲＭを含むことができる。ＰＲＭは、以下からなる群から選択されるＰＲＭを含むケトンを含み得る：ブコキシム；イソジャスモン；メチルβナフチルケトン；ムスクインダノン；トナリド／ムスクプラス；α−ダマスコン、β−ダマスコン、δ−ダマスコン、イソ−ダマスコン、ダマセノン、ダマロース、メチル−ジヒドロジャスモネート、メントン、カルボン、カンファー、フェンコン、α−イオノン、β−イオノン、ジヒドロ−β−イオノン、γ−メチル、いわゆるイオノン、フロイラモン、ジヒドロジャスモン、ｃｉｓ−ジャスモン、イソ−ｅ−スーパー、メチル−セドレニル−ケトン又はメチル−セドリロン、アセトフェノン、メチル−アセトフェノン、パラ−メトキシ−アセトフェノン、メチル−β−ナフチル−ケトン、ベンジル−アセトン、ベンゾフェノン、パラ−ヒドロキシ−フェニル−ブタノン、セロリケトン又はリブスコン、６−イソプロピルデカヒドロ−２−ナフトン、ジメチル−オクテノン、フレスコメンテ、４−（１−エトキシビニル）−３，３，５，５−テトラメチル−シクロヘキサノン、メチル−ヘプテノン、２−（２−（４−メチル−３−シクロヘキセン−１−イル）プロピル）−シクロペンタノン、１−（ｐ−メンテン−６（２）−イル）−１−プロパノン、４−（４−ヒドロキシ−３−メトキシフェニル）−２−ブタノン、２−アセチル−３，３−ジメチル−ノルボルナン、６，７−ジヒドロ−１，１，２，３，３−ペンタメチル−４（５ｈ）−インダノン、４−ダマスコール、ドルシニル又はカシオン、ゲルソン、ヘキサロン、イソシクレモンｅ、メチルシクロシトロン、メチル−ラベンダー−ケトン、オリボン、パラ−ｔｅｒｔ−ブチル−シクロヘキサノン、ベルドン、デルフォン、ムスコン、ネオブテノン、プリカトン、ベロウトン、２，４，４，７−テトラメチル−オクト−６−エン−３−オン、テトラメラン、ヘジオン、フロラロゾン、γ−ウンデカラクトン、エチレンブラシレート、ペンタデカノリド、メチルノニルケトン、シクロペンタデカノン、環状エチレンドデカンジオエート、３，４，５，６−テトラヒドロシュードイオノン、８−ヘキサデセノリド、ジヒドロジャスモン、５−シクロヘキサデセノン、及びこれらの組み合わせ。
【００２３】
ケトンを含むＰＲＭは、アルファ−ダマスコン、デルタ−ダマスコン、イソ−ダマスコン、カルボン、ガンマ−メチル−イオノン、ベータ−イオノン、イソ−ｅ−スーパー、２，４，４，７−テトラメチル−オクタ−６−エン−３−オン、ベンジルアセトン、ベータ−ダマスコン、ダマセノン、メチルジヒドロジャスモネート、メチルセドリロン、ヘジオン、フロラロゾン、及びそれらの組合せからなる群から選択されるＰＲＭを含む。好ましくは、ケトンを含むＰＲＭは、デルタ−ダマスコンを含む。
【００２４】
本フレッシュニング組成物は、香り特性に寄与し、かつ化学反応により、蒸気相及び／又は液相中の悪臭を中和する、アルデヒドの混合物を含んでもよい。部分的に反応性又は揮発性のアルデヒドは、本明細書で使用される反応性アルデヒドと見なすことができる。反応性アルデヒドは、シッフ塩基形成経路にしたがって、アミン系臭気と反応することができる。反応性アルデヒドはまた、硫黄系臭気とも反応し、蒸気相及び／又は液相中に、チオールアセタール、ヘミチオールアセタール、及びチオールエステルを形成することができる。これらの蒸気相及び／又は液相での反応性アルデヒドは、実質的に、製品の所望の芳香特性、色又は安全性に悪影響を及ぼさないことが望ましくあり得る。
【００２５】
本フレッシュニング組成物は、本明細書で使用する揮発性アルデヒドと見なすことができる、一部が揮発性のアルデヒドの混合物を含んでもよい。揮発性アルデヒドはまた、特定の沸点（Ｂ．Ｐ．）及びオクタノール／水分配係数（Ｐ）を有することができる。本明細書において言及される沸点は、１０１ｋＰａ（７６０ｍｍＨｇ）の通常の標準圧力の下で測定される。多くの揮発性アルデヒドの標準の１０１ｋＰａ（７６０ｍｍＨｇ）における沸点は、例えば、Ｓｔｅｆｆｅｎ  Ａｒｃｔａｎｄｅｒ（著、１９６９年出版の「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」に与えられている。
【００２６】
揮発性アルデヒドのオクタノール／水分配係数は、オクタノール中及び水中におけるその平衡濃度の比である。悪臭抑制組成物に使用される揮発性アルデヒドの分配係数は、基底１０に対するそれらの対数であるｌｏｇＰの形態で一層便利に示すことができる。多数の揮発性アルデヒドのｌｏｇＰ値が報告されている。例えば、Ｄａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｄａｙｌｉｇｈｔ  ＣＩＳ）（Ｉｒｖｉｎｅ，Ｃａｌｉｆｏｒｎｉａ）から入手可能なＰｏｍｏｎａ９２データベースを参照されたい。しかし、ｌｏｇＰ値は、同じくＤａｙｌｉｇｈｔ  ＣＩＳから入手可能な「ＣＬＯＧＰ」プログラムにより最も便利に計算される。このプログラムはまた、それらがＰｏｍｏｎａ９２データベースで入手可能な場合には、実験的なｌｏｇＰの値も列挙する。「ｌｏｇＰの計算値」（ＣｌｏｇＰ値）は、Ｈａｎｓｃｈ及びＬｅｏのフラグメント手法により求められる（Ａ．Ｌｅｏ，ｉｎ  Ｃｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ，Ｐ．Ｇ．Ｓａｍｍｅｎｓ，Ｊ．Ｂ．Ｔａｙｌｏｒ  ａｎｄ  Ｃ．Ａ．Ｒａｍｓｄｅｎ，Ｅｄｓ．，ｐ．２９５，Ｐｅｒｇａｍｏｎ  Ｐｒｅｓｓ，１９９０を参照されたい）。このフラグメント手法は、各揮発性アルデヒドの化学構造に基づくものであり、原子の数及びタイプ、原子の連結性、並びに化学結合を考慮するものである。ＣｌｏｇＰ値は、最も信頼できるものであり、この物理化学的特性の評価に広く用いられており、好ましくは、悪臭抑制組成物のための揮発性アルデヒドの選択において実験的なｌｏｇＰ値の代わりに用いられる。
【００２７】
ＣｌｏｇＰ値は、４つの群によって定義することができ、揮発性アルデヒドは、これらの群のうちの１つ又は複数から選択することができる。第１の群は、約２５０℃以下のＢ．Ｐ．及び約３以下のＣｌｏｇＰを有する揮発性アルデヒドを含む。第２の群は、２５０℃以下のＢ．Ｐ．及び３．０以上のＣｌｏｇＰを有する揮発性アルデヒドを含む。第３の群は、２５０℃以上のＢ．Ｐ．及び３．０以下のＣｌｏｇＰを有する揮発性アルデヒドを含む。第４の群は、２５０℃以上のＢ．Ｐ．及び３．０以上のＣｌｏｇＰを有する揮発性アルデヒドを含む。本悪臭抑制組成物は、１つ又は複数のＣｌｏｇＰ群からの揮発性アルデヒドの任意の組合せを含むことができる。
【００２８】
本悪臭抑制組成物は、フレッシュニング組成物の総重量で、第１の群からの揮発性アルデヒドを約０％〜約３０％、代替として約２５％、及び／又は第２の群からの揮発性アルデヒドを約０％〜約１０％、代替として約１０％、及び／又は第３の群からの揮発性アルデヒドを約１０％〜約３０％、代替として約３０％、及び／又は第４の群からの揮発性アルデヒドを約３５％〜約６０％、代替として約３５％を含むことができる。
【００２９】
フレッシュニング組成物において使用することができる例示的な反応性及び／又は揮発性アルデヒドとしては、限定するものではないが、アドキサール（２，６，１０−トリメチル−９−ウンデセナール）、ブルゲオナール（４−ｔ−ブチルベンゼンプロピオンアルデヒド）、リレストラリス（Ｌｉｌｅｓｔｒａｌｉｓ）  ３３（２−メチル−４−ｔ−ブチルフェニル）プロパナール）、ケイ皮アルデヒド（Cinnamic aldehyde）、ケイ皮アルデヒド（cinnamaldehyde）（フェニルプロペナール、３−フェニル−２−プロペナール）、シトラール、ゲラニアール、ネラール（ジメチルオクタジエナール、３，７−ジメチル−２，６−オクタジエン−１−アール）、シクラール（Cyclal）Ｃ（２，４−ジメチル−３−シクロヘキセン−１−カルバルデヒド）、フロルヒヒドラル（Ｆｌｏｒｈｙｄｒａｌ）（３−（３−イソプロピル−フェニル）−ブチルアルデヒド）、シトロネラール（３，７−ジメチル６−オクテナール）、サイマール（Ｃｙｍａｌ）、シクラメンアルデヒド、シクロサール、ライムアルデヒド（アルファ−メチル−ｐ−イソプロピルフェニルプロピルアルデヒド）、メチルノニルアセトアルデヒド、アルデヒドＣ１２  ＭＮＡ（２−メチル−１−ウンデカナール）、ヒドロキシシトロネラール、シトロネラール水和物（７−ヒドロキシ−３，７−ジメチルオクタン−１−アール）、ヘリオナール（３−（１，３−ベンゾジオキソール−５−イル）−２−メチルプロパナール、２−メチル−３−（３，４−メチレンジオキシフェニル）プロパナール）、イントレレベンアルデヒド（ウンデカ−１０−エン−１−アール）、リグストラール、トリベルタール（２，４−ジメチル−３−シクロヘキセン−１−カルボキシアルデヒド）、ジャスモレンジ（Ｊａｓｍｏｒａｎｇｅ）、サチンアルデヒド（２−メチル−３−トリルプロイオンアルデヒド（tolylproionaldehyde）、４−ジメチルベンゼンプロパナール）、リラール（Ｌｙｒａｌ）（４−（４−ヒドロキシ−４−メチルペンチル）−３−シクロヘキセン−１−カルボキシアルデヒド）、メロナール（２，６−ジメチル−５−ヘプテナール）、メトキシメロナール（６−メトキシ−２，６−ジメチルヘプタナール）、メトキシケイ皮アルデヒド（ｔｒａｎｓ−４−メトキシケイ皮アルデヒド）、ミラックアルデヒドイソヘキセニルシクロヘキセニル−カルボキシアルデヒド、トリフェルナール（（３−メチル−４−フェニルプロパナール、３−フェニルブタナール）、リリアール、Ｐ．Ｔ．ブシナール、リスメラール、ベンゼンプロパナール（４−ｔｅｒｔ−ブチル−アルファ−メチル−ヒドロケイ皮アルデヒド）、デュプリカール（Ｄｕｐｉｃａｌ）、トリシクロデシリデンブタナール（４−トリシクロ５２１０−２，６デシリデン−８ブタナール）（4-Tricyclo5210-2,6decylidene-8butanal）、メラフレール（Melafleur）（１，２，３，４，５，６，７，８−オクタヒドロ−８，８−ジメチル−２−ナフトアルデヒド）、メチルオクチルアセトアルデヒド、アルデヒドＣ−１１  ＭＯＡ（２−メチルデカ−１−アール）、オニシダール（Onicidal）（２，６，１０−トリメチル−５，９−ウンデカジエン−１−アール）、シトロネリルオキシアセトアルデヒド、ミュゲアルデヒド５０（３，７−ジメチル−���−オクテニル）オキシアセトアルデヒド）、フェニルアセトアルデヒド、メフラナール（Mefranal）（３−メチル−５−フェニルペンタナール）、トリプラール、ベルトシトラール（Vertocitral）ジメチルテトラヒドロベンゼンアルデヒド（２，４−ジメチル−３−シクロヘキセン−１−カルボキシアルデヒド）、２−フェニルプロピリオンアルデヒド（phenylproprionaldehyde）、ヒドラトロプアルデヒド、カントキサール、アニシルプロパナール４−メトキシ−アルファ−メチルベンゼンプロパナール（２−アニシリデンプロパナール）、シクレモン（Cylcemone）Ａ（１，２，３，４，５，６，７，８−オクタヒド−８，８−ジメチル−２−ナフトアルデヒド）、及びプレシクレモン（Precylcemone）Ｂ（１−シクロヘキセン−１−カルボキシアルデヒド）が挙げられる。
【００３０】
さらに他の代表的なアルデヒドとしては、限定するものではないが、アセトアルデヒド（エタナール）、ペンタナール、バレルアルデヒド、アミルアルデヒド、センテナール（オクタヒドロ−５−メトキシ−４，７−メタノ−１Ｈ−インデン−２−カルボキシアルデヒド）、プロピオンアルデヒド（プロパナール）、シクロシトラール、ベータ−シクロシトラール、（２，６，６−トリメチル−１−シクロヘキセン−１−アセトアルデヒド）、イソシクロシトラール（２，４，６−トリメチル−３−シクロヘキセン−１−カルボキシアルデヒド）、イソブチルアルデヒド、ブチルアルデヒド、イソバレルアルデヒド（３−メチルブチルアルデヒド）、メチルブチルアルデヒド（２−メチルブチルアルデヒド、２−メチルブタナール）、ジヒドロシトロネラール（３，７−ジメチルオクタン−１−アール）、２−エチルブチルアルデヒド、３−メチル−２−ブテナール、２−メチルペンタナール、２−メチルバレルアルデヒド、ヘキセナール（２−ヘキセナール、トランス−２−ヘキセナール）、ヘプタナール、オクタナール、ノナナール、デカナール、ラウリンアルデヒド、トリデカナール、２−ドデカナール、メチルチオブタナール、グルタルアルデヒド、ペンタンジアール、グルタルアルデヒド、ヘプテナール、シス又はトランス−ヘプテナール、ウンデセナール（２−、１０−）、２，４−オクタジエナール、ノネナール（２−、６−）、デセナール（２−、４−）、２，４−ヘキサジエナール、２，４−デカジエナール、２，６−ノナジエナール、オクテナール、２，６−ジメチル５−ヘプテナール、２−イソプロピル−５−メチル−２−ヘキセナール、トリフェルナール（Trifernal）、ベータメチルベンゼンプロパナール、２，６，６−トリメチル−１−シクロヘキセン−１−アセトアルデヒド、フェニルブテナール（２−フェニル２−ブテナール）、２．メチル−３（ｐ−イソプロピルフェニル）−プロピオンアルデヒド、３−（ｐ−イソプロピルフェニル）−プロピオンアルデヒド、ｐ−トリルアセトアルデヒド（４−メチルフェニルアセトアルデヒド）、アニスアルデヒド（ｐ−メトキシベンゼンアルデヒド）、ベンズアルデヒド、ベルンアルデヒド（Vernaldehyde）（１−メチル−４−（４−メチルペンチル）−３−シクロヘキセンカルバルデヒド）、ヘリオトロピン（ピペロナール）３，４−メチレンジオキシベンズアルデヒド、アルファ−アミルケイ皮アルデヒド、２−ペンチル−３−フェニルプロペンアルデヒド、バニリン（４−メトキシ３−ヒドロキシベンズアルデヒド）、エチルバニリン（３−エトキシ４−ヒドロキシベンズアルデヒド）、ヘキシルケイ皮アルデヒド、ジャスモナール（Jasmonal）Ｈ（アルファ−ｎ−ヘキシル−ケイ皮アルデヒド）、フローラルオゾン（パラ−エチル−アルファ，アルファ−ジメチルヒドロケイ皮アルデヒド）、アカレア（Acalea）（ｐ−メチル−アルファ−ペンチルケイ皮アルデヒド）、メチルケイ皮アルデヒド、アルファ−メチルケイ皮アルデヒド（２−メチル３−フェニルプロペナール）、アルファ−ヘキシルケイ皮アルデヒド（２−ヘキシル３−フェニルプロペナール）、サリチルアルデヒド（２−ヒドロキシベンズアルデヒド）、４−エチルベンズアルデヒド、クミン���ルデヒド（４−イソプロピルベンズアルデヒド）、エトキシベンズアルデヒド、２，４−ジメチルベンズアルデヒド、ベラトルムアルデヒド（３，４−ジメトキシベンズアルデヒド）、シリンガアルデヒド（３，５−ジメトキシ４−ヒドロキシベンズアルデヒド）、カテックアルデヒド（Catechaldehyde）（３，４−ジヒドロキシベンズアルデヒド）、サフラナール（２，６，６−トリメチル−１，３−ジエンメタナール）、ミルテナール（ピン−２−エン−１−カルバルデヒド）、ペリルアルデヒドＬ−４（１−メチルエテニル）−１−シクロヘキセン−１−カルボキシアルデヒド）、２，４−ジメチル−３−シクロヘキセンカルボキシアルデヒド、２−メチル−２−ペンテナール、２−メチルペンテナール、ピルバルデヒド、ホルミルトリシクロデカン、マンダリンアルデヒド、シクレマクス（Cyclemax）、ピノアセトアルデヒド、コープスアイリス（Corps Iris）、マセアル（Maceal）、及びコープス４３２２が挙げられる。
【００３１】
香料混合物は、表１からの１つ又は複数の香料原料からなる香料混合物を含むことができる。
【００３２】
【表１−１】
2019510566.tif 000005
【００３３】
【表１−２】
2019510566.tif 000006
【００３４】
【表１−３】
2019510566.tif 000007
【００３５】
【表１−４】
2019510566.tif 000008
【００３６】
【表１−５】
2019510566.tif 000009
【００３７】
香料混合物は、３−（１，３−ベンゾジオキソール−５−イル）−２−メチルプロパナール（商標名ヘリオナール）、カントキサール、イオノンベータ、インドール、バニリン、エチルバニリン、ケイ皮アルデヒド、マセアル、トリプラールエクストラ、２，６−ノナジエン−１−アール、リグストラール、シトロネラール、オイゲノール、アントラニル酸メチル、アントラニル酸ジメチル及びそれらの組合せからなる群から選択される香料原料を含んでもよい。香料混合物は、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される香料原料を含んでもよい。本フレッシュニング組成物は、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される香料原料を、全組成物の重量で、約０．０００１重量％〜約５重量％、代替として、約０．０１重量％〜約２重量％、代替として、約０．１重量％〜１．５重量％、代替として、約０．２重量％〜約１．４重量％含むことができる。本フレッシュニング組成物は、３−（１，３−ベンゾジオキソール−５−イル）−２−メチルプロパナール、カントキサール、バニリン、エチルバニリン、シトラール、リグストラール、ケイ皮アルデヒド、及びそれらの組合せからなる群から選択される香料原料を、全組成物の重量で、約０．００１重量％〜約０．５重量％含むことができる。香料混合物は、アントラニル酸ジメチルを含むことができる。
【００３８】
これらのＰＲＭの多くは経時的に不安定なので、このようなＰＲＭは、多くの場合、避けられるか又は低濃度で使用される。しかし、このようなＰＲＭを本開示の硫黄含有プロ香料及び安定化系と組み合わせたとき、経時的な組成物の安定性が向上することが見出された。理論に拘束されるものではないが、硫黄含有プロ香料及び安定化系は、不安定性及び色変化をもたらすおそれがあり、かつ望ましくない特性のシフト、香りの消滅、反応性の低下、乏しい審美性及び又は染みを引き起こすおそれのある、酸化反応又は他のシッフ塩基化反応などの反応を阻害することにより、本フレッシュニング組成物中のＰＲＭとの競争反応を優先的に進行させると考えられる。
【００３９】
ケイ皮アルデヒドは、ケイ皮アルデヒド及びケイ皮アルデヒド誘導体を含んでもよい。例示的なケイ皮アルデヒド誘導体は、アルファ−メチルケイ皮アルデヒドとすることができる。
【００４０】
合計の香料混合物は、全組成物の重量で、約０．０００１重量％〜約１０重量％、代替として、約０．０１重量％〜約５重量％、代替として、約０．０１重量％〜約２重量％、代替として、約０．１重量％〜１．５重量％、代替として、約０．２重量％〜約１．４重量％の量で存在することができる。
【００４１】
香料混合物と硫黄含有プロ香料との重量比は、組成物の重量で、約６：１〜約５０：１、又は約６：１〜約３５：１、又は約８：１〜約２５：１、又は約１０：１〜約２０：１とすることができる。
【００４２】
香料混合物とチオ−ダマスコンとの重量比は、組成物の重量で、約６：１〜約５０：１、又は約６：１〜約３５：１、又は約８：１〜約２５：１、又は約１０：１〜約２０：１とすることができる。
【００４３】
理論に拘束されるものではないが、香料混合物と硫黄含有プロ香料との比は、空気中のフレッシュ感の認識に対する最小閾値をもたらすと考えられる。
【００４４】
ポリオール
本フレッシュニング組成物は、ポリオールを含んでもよい。エチレングリコール、ジエチレングリコール、トリエチレングリコール、プロピレングリコール、ジプロピレングリコール、及び／又はグリセリンなどの、水と比べて比較的高い沸点を有する低分子量ポリオールは、本フレッシュニング組成物の臭気の中和を改善するための悪臭中和剤として利用することができる。一部のポリオール、例えば、ジプロピレングリコールも、本組成物中の一部の香料成分の可溶化を促進するのに有用である。
【００４５】
本フレッシュニング組成物に使用されるグリコールは、グリセリン、エチレングリコール、プロピレングリコール、ジプロピレングリコール、ポリエチレングリコール、プロピレングリコールメチルエーテル、プロピレングリコールフェニルエーテル、プロピレングリコールメチルエーテルアセテート、ジプロピレングリコールメチルエーテルアセテート、プロピレングリコールｎ−ブチルエーテル、ジプロピレングリコールｎ−ブチルエーテル、ジプロピレングリコールｎ−プロピルエーテル、エチレングリコール（glycole）フェニルエーテル、ジエチレングリコールｎ−ブチルエーテル、ジプロピレングリコールｎ−ブチルエーテル、ジエチレングリコールモノブチルエーテル、ジプロピレングリコールメチルエーテル、トリプロピレングリコールメチルエーテル、トリプロピレングリコールｎ−ブチルエーテル、他のグリコールエーテル、又はそれらの混合物とすることができる。使用されるグリコールは、エチレングリコール、プロピレングリコール、又はそれらの混合物とすることができる。使用されるグリコールは、ジエチレングリコールとすることができる。
【００４６】
通常、低分子量ポリオールは、本組成物の約０．０１重量％〜約５重量％、代替として本組成物の約０．０５重量％〜約１重量％、代替として約０．１重量％〜約０．５重量％の濃度で、本組成物に添加される。濃度の高い組成物ほど、布地が汚れの影響を受けやすくなる場合があり、かつ／又は溶液が布地から蒸発すると、許容不能な目に見える染みが布地上に残ることがある。低分子量ポリオールと悪臭結合ポリマーとの重量比は、約５００：１〜約４：１、代替として約１：１００〜約２５：１、代替として約１：５０〜約４：１、代替として約４：１である。
【００４７】
シクロデキストリン
本フレッシュニング組成物は、可溶化された水溶性の非錯体化シクロデキストリンを含んでもよい。本明細書で使用する場合、用語「シクロデキストリン」は、６〜１２個のグルコース単位を含有する非置換シクロデキストリン、とりわけアルファ−シクロデキストリン、ベータ−シクロデキストリン、ガンマ−シクロデキストリン及び／若しくはそれらの誘導体、並びに／又はこれらの混合物などの既知のシクロデキストリンのいずれかを含む。アルファ−シクロデキストリンは、ドーナツ形状の環に配置された、６個のグルコース単位からなり、ベータ−シクロデキストリンは７個のグルコース単位からなり、ガンマ−シクロデキストリンは８個のグルコース単位からなる。これらのグルコース単位の特異的結合及びコンホメーションによって、特定の体積の中空内部を有する剛性の円錐形分子構造がシクロデキストリンにもたらされる。内部空洞の「内張り」は、水素原子とグリコシド結合の酸素原子によって形成されており、したがってこの表面はかなりの疎水性である。空洞の独特の形状及び物理的−化学的特性により、シクロデキストリン分子は、空洞に収まることのできる有機分子又は有機分子の一部を吸収する（これらと包接錯体を形成する）ことが可能になる。多くの香料分子は、上記の空洞に収まることができる。
【００４８】
シクロデキストリン分子は、米国特許第５，７１４，１３７号及び同第５，９４２，２１７号に記載されている。シクロデキストリンの好適な濃度は、フレッシュニング組成物の約０．１重量％〜約５重量％、代替として約０．２重量％〜約４重量％、代替として約０．３重量％〜約３重量％、代替として約０．４重量％〜約２重量％である。濃度の高いフレッシュニング組成物ほど、布地が汚れの影響を受けやすくなり得、かつ／又は溶液が布地から蒸発すると、許容不能な目に見える染みが布地上に残り得る。後者は、薄く、着色された合成布地上で、とりわけ問題となる。布地の染みの発生を回避又は最小化するために、布地１ｍｇ当たり約５ｍｇ未満、代替として布地１ｍｇ当たり約２ｍｇ未満の濃度のシクロデキストリンで布地を処理してもよい。
【００４９】
緩衝系
フレッシュニング組成物は、緩衝剤を含有してもよい。緩衝剤は、酸性緩衝剤とすることができる。緩衝剤は、二塩基酸、カルボン酸、又はジカルボン酸とすることができる。カルボン酸は、例えば、クエン酸、ポリアクリル酸、又はマレイン酸とすることができる。酸は、立体的に安定なものとすることができる。酸は、所望のｐＨを維持するために、本組成物で使用することができる。本フレッシュニング組成物のｐＨは、約４〜約９、代替として約４〜約８．５、代替として約４〜約６．９、代替として約４〜約６．５であってもよい。
【００５０】
好ましくは、緩衝系は、クエン酸、マレイン酸、ポリアクリル酸、及びそれらの組合せからなる群から選択される、１つ又は複数の緩衝剤を含む。クエン酸、マレイン酸、ポリアクリル酸、及びそれらの組合せからなる群から選択される緩衝剤を含む緩衝系は、保存寿命の延長した、安定なフレッシュニング組成物を実現する。
【００５１】
好ましくは、緩衝系は、クエン酸及びクエン酸ナトリウムを含む。クエン酸及びクエン酸ナトリウムを含む緩衝系は、保存寿命の延長した、安定なフレッシュニング組成物を実現することが見出された。
【００５２】
本フレッシュニング組成物に適した他の緩衝剤は、生物学的緩衝剤を含む。一部の例は、窒素含有物質、３−（Ｎ−モルホリノ）プロパンスルホン酸（ＭＯＰＳ）又はＮ−（２−アセトアミド）−２−アミノエタンスルホン酸（ＡＣＥＳ）のようなスルホン酸緩衝剤であり、これらは、中性付近の６．２〜７．５のｐＫａを有しており、中性ｐＨにおいて十分な緩衝力をもたらす。他の例は、リシンのようなアミノ酸、又はモノエタノールアミン、ジエタノールアミン、及びトリエタノールアミン若しくはメチルジエタノールアミン又はそれらの誘導体のような低級アルコールアミンである。他の窒素含有緩衝剤は、トリ（ヒドロキシメチル）アミノメタン（ＨＯＣＨ２）３ＣＮＨ３（ＴＲＩＳ）、２−アミノ−２−エチル−１，３−プロパンジオール、２−アミノ−２−メチル−プロパノール、２−アミノ−２−メチル−１，３−プロパノール、グルタミン酸二ナトリウム、Ｎ−メチルジエタノールアミド、２−ジメチルアミノ−２−メチルプロパノール（ＤＭＡＭＰ）、１，３−ビス（メチルアミン）−シクロヘキサン、１，３−ジアミノ−プロパノール、Ｎ，Ｎ’−テトラ−メチル−１，３−ジアミノ−２−プロパノール、Ｎ，Ｎ−ビス（２−ヒドロキシエチル）グリシン（ビシン）、及びＮ−トリス（ヒドロキシメチル）メチルグリシン（トリシン）である。上記のいずれかの混合物も許容可能である。
【００５３】
好ましくは、フレッシュニング組成物は二級又は三級アミンを含む。二級又は三級アミンが存在する場合、本フレッシュニング組成物は、重量比約１：１の硫黄含有プロ香料と二級アミン又は三級アミンとを有することができ、代替として、プロ香料の重量は、組成物の総重量に基づいて、アミンの重量と等しいか又はアミンの重量より多い必要がある。二級又は三級アミンが存在する場合、酸性緩衝剤と二級又は三級アミンとの重量比は、３：１以上、又は５：１超、又は６：１超とすることができる。
【００５４】
本フレッシュニング組成物は、一級アミンを含まなくてもよい。理論に拘束されるものではないが、一級アミンは、硫黄含有プロ香料が不安定な香料原料と反応するのを阻害すると考えられる。
【００５５】
本フレッシュニング組成物は、組成物の少なくとも約０重量％、代替として少なくとも約０．００１重量％、代替として少なくとも約０．０１重量％の緩衝剤を含んでもよい。本組成物はまた、組成物の約１重量％以下、代替として約０．７５重量％以下、代替として約０．５重量％以下の緩衝剤を含んでもよい。
【００５６】
可溶化剤
透明な溶液が形成されるように、本フレッシュニング組成物は、本組成物に加えることができるが、本組成物には容易に溶解しない、いずれかの過剰な疎水性有機物質、詳細には任意のＰＲＭ、さらに任意成分（例えば、昆虫忌避剤、酸化防止剤など）を可溶化する可溶化助剤を含んでもよい。好適な可溶化助剤は、非起泡性又は低起泡性界面活性剤などの界面活性剤である。好適な界面活性剤は、アニオン性界面活性剤、非イオン性界面活性剤、カチオン性界面活性剤、両性界面活性剤、双極性イオン性界面活性剤、及びそれらの混合物である。
【００５７】
フレッシュニング組成物は、非イオン性界面活性剤、カチオン性界面活性剤、及びそれらの混合物を含有することができる。本フレッシュニング組成物は、硬化ヒマシ油の界面活性剤誘導体を含有していてもよい。本発明の組成物中で使用することができる好適なエトキシ化硬化ヒマシ油としては、ＢＡＳＦから入手可能なＢＡＳＯＰＨＯＲ（商標）及びＳｉｇｍａ  Ａｌｄｒｉｃｈから入手可能なＣＲＥＭＯＰＨＯＲ（商標）が挙げられる。
【００５８】
可溶化剤が存在するとき、可溶化剤は、典型的には、フレッシュニング組成物の約０．０１重量％〜約３重量％、代替として約０．０５重量％〜約１重量％、代替として約０．０１重量％〜約０．０５重量％の濃度で存在する。本フレッシュニング組成物は、当該フレッシュニング組成物にプロ香料を可溶化するために、少なくとも硫黄含有プロ香料と同じ量の可溶化剤を有することができる。したがって、本フレッシュニング組成物は、組成物の重量で、重量比約１：１の範囲の可溶化剤と硫黄含有プロ香料とを、又は硫黄含有プロ香料と可溶化剤とを少なくともと同じ重量百分率で含むことができる。
【００５９】
抗菌性化合物
本フレッシュニング組成物は、空気中又は無生物表面上の微生物を減少させる化合物を有効量含んでもよい。抗菌性化合物は、カウチ、枕、ペットの寝具、及びカーペットなどの、ヒトの皮膚又はペットと接触した室内表面上に典型的に存在するグラム陰性菌及びグラム陽性菌、並びに真菌に対して有効である。このような微生物種としては、肺炎桿菌（Klebsiella pneumoniae）、黄色ブドウ球菌（Staphylococcus aureus）、黒色アスペルギルス（Aspergillus niger）、肺炎桿菌（Klebsiella pneumoniae）、化膿レンサ球菌（Steptococcus pyogenes）、ブタコレラ菌（Salmonella choleraesuis）、大腸菌（Escherichia coil）、毛瘡白癬菌（Trichophyton mentagrophytes）、及び緑膿菌（Pseudomonoas aeruginosa）が挙げられる。抗菌性化合物はまた、Ｈ１−Ｎ１、ライノウイルス、呼吸系発疹ウイルス、１型ポリオウイルス、ロタウイルス、Ａ型インフルエンザ、１型及び２型単純ヘルペス、Ａ型肝炎、及びヒトコロナウイルスなどのウイルスに対して有効であり得る。
【００６０】
フレッシュニング組成物に好適な抗菌性化合物は、布地の外観を損傷（例えば、変色、黄ばみなどの着色、脱色）させない任意の有機物質とすることができる。水溶性抗菌性化合物としては、有機硫黄化合物、ハロゲン化化合物、環状有機窒素化合物、低分子量アルデヒド、四級化合物、デヒドロ酢酸、フェニル及びフェノキシ化合物、又はそれらの混合物が挙げられる。
【００６１】
四級化合物が使用されてもよい。本フレッシュニング組成物に使用するのに好適な市販の第四級化合物の例は、Ｌｏｎｚａ  Ｃｏｒｐｏｒａｔｉｏｎから入手可能なＢＡＲＱＵＡＴ（登録商標）；及びＬｏｎｚａ  Ｃｏｒｐｏｒａｔｉｏｎからの商標名ＢＡＲＤＡＣ（登録商標）２２５０である塩化アンモニウムジメチルジデシルクアットである。
【００６２】
抗菌性化合物は、フレッシュニング組成物の約５００重量ｐｐｍ〜約７０００重量ｐｐｍ、代替として約１０００重量ｐｐｍ〜約５０００重量ｐｐｍ、代替として約１０００重量ｐｐｍ〜約３０００重量ｐｐｍ、代替として約１４００重量ｐｐｍ〜約２５００重量ｐｐｍの量で存在することができる。
【００６３】
防腐剤
フレッシュニング組成物は、防腐剤を含有してもよい。防腐剤は、特定の期間にわたって腐敗を防ぐか、又は意図せず混入した微生物の増殖を防ぐのに十分であるが、フレッシュニング組成物の悪臭中和性能に寄与するのに十分ではない量で含まれ得る。換言すれば、防腐剤は、微生物によって生じる臭気を消すために、組成物を堆積させる表面上の微生物を死滅させる抗菌性化合物として使用されているのではない。むしろ、フレッシュニング組成物の保存寿命を長くする目的で、当該組成物の腐敗を防ぐために防腐剤が用いられる。
【００６４】
防腐剤は、布地の外観に損傷（例えば変色、着色、脱色）を生じさせない任意の有機防腐剤物質とすることができる。好適な水溶性防腐剤としては、有機硫黄化合物、ハロゲン化化合物、環状有機窒素化合物、低分子量アルデヒド、パラベン、プロパンジオール（diaol）物質、イソチアゾリノン、四級化合物、ベンゾエート、低分子量アルコール、デヒドロ酢酸、フェニル及びフェノキシ化合物、又はそれらの混合物が挙げられる。
【００６５】
市販の水溶性防腐剤の非限定的な例としては、Ｒｏｈｍ  ａｎｄ  Ｈａａｓ  Ｃｏ．によって商標名Ｋａｔｈｏｎ（登録商標）ＣＧで１．５％フレッシュニング溶液として入手可能な広域スペクトル防腐剤である、約７７％の５−クロロ−２−メチル−４−イソチアゾリン−３−オンと約２３％の２−メチル−４−イソチアゾリン−３−オンとの混合物；ＨｅｎｋｅｌからＢｒｏｎｉｄｏｘ  Ｌ（登録商標）の商品名で入手可能な５−ブロモ−５−ニトロ−１，３−ジオキサン；ＩｎｏｌｅｘからＢｒｏｎｏｐｏｌ（登録商標）の商品名で入手可能な２−ブロモ−２−ニトロプロパン−１，３−ジオール；クロロヘキシジン、並びにその例えば酢酸及びジグルコン酸との塩として一般的に知られている、１，１’−ヘキサメチレンビス（５−（ｐ−クロロフェニル）ビグアニド）；ＬｏｎｚａからＧｌｙｄａｎｔ  Ｐｌｕｓ（登録商標）の名称で入手可能な、１，３−ビス（ヒドロキシメチル）−５，５−ジメチル−２，４−イミダゾリジンジオンと３−ブチル−２−ヨードプロピニルカルバメートの９５：５混合物；Ｓｕｔｔｏｎ  Ｌａｂｏｒａｔｏｒｉｅｓ，Ｉｎｃ．からＧｅｒｍａｌｌ（登録商標）の商品名で入手可能であり、ジアゾリジニルウレアとして一般的に知られる、Ｎ−［１，３−ビス（ヒドロキシメチル）２，５−ジオキソ−４−イミダゾリジニル］−Ｎ，Ｎ’−ビス（ヒドロキシ−メチル）ウレア；例えば、３Ｖ−Ｓｉｇｍａから商標名Ａｂｉｏｌ（登録商標）として、ＩｎｄｕｃｈｅｍからＵｎｉｃｉｄｅ  Ｕ−１３（登録商標）として、Ｓｕｔｔｏｎ  Ｌａｂｏｒａｔｏｒｉｅｓ，Ｉｎｃ．からＧｅｒ−ｍａｌｌ  １１５（登録商標）として入手可能な、イミダゾリジニルウレアとして一般的に知られている、Ｎ，Ｎ’’−メチレンビス｛Ｎ’−［１−（ヒドロキシメチル）−２，５−ジオキソ−４−イミダゾリジニル］ウレア｝；Ｎｕｏｓｅｐｔ（登録商標）Ｃの商品名でＨｕｅｌｓ  Ａｍｅｒｉｃａから入手可能なポリメトキシ二環オキサゾリジン；ホルムアルデヒド；グルタルアルデヒド；ＩＣＩ  Ａｍｅｒｉｃａｓ，Ｉｎｃ．から商標名Ｃｏｓｍｏｃｉｌ  ＣＱ（登録商標）として、又はＢｒｏｏｋｓ，Ｉｎｃから商標名Ｍｉｋｒｏｋｉｌｌ（登録商標）として入手可能なポリアミノプロピルビグアニド；デヒドロ酢酸；並びにＲｏｈｍ  ａｎｄ  Ｈａｓｓ  Ｃｏｒｐｏｒａｔｉｏｎから商標名Ｋｏｒａｌｏｎｅ（商標）Ｂ−１１９として入手可能なベンズイソチアゾリノンが挙げられる。
【００６６】
防腐剤の好適な濃度は、フレッシュニング組成物の約０．０００１重量％〜約０．５重量％、代替として約０．０００２重量％〜約０．２重量％、代替として約０．０００３重量％〜約０．１重量％である。
【００６７】
湿潤剤
フレッシュニング組成物は、当該組成物をポリエステル及びナイロンのような疎水性表面上に容易かつより均一に広げることを可能にする、低い表面張力をもたらす湿潤剤を任意選択で含んでもよい。本フレッシュニング組成物は、このような湿潤剤を使用しない場合、十分には広がらないことがわかっている。組成物を広げると、組成物を迅速に乾燥させることが可能となり、その結果、処理された物質は直ちに使える状態になる。さらに、湿潤剤を含有する組成物は、改善された悪臭中和のために、疎水性の油性汚れによりよく浸透することができる。湿潤剤を含有する組成物はまた、「衣服着用中」の静電気の制御を改善することもできる。濃縮組成物の場合、湿潤剤は、濃縮フレッシュニング組成物中の抗菌性活性物質及び香料などの多くの活性物質の分散を促進する。
【００６８】
湿潤剤の非限定的な例としては、エチレンオキシドとプロピレンオキシドとのブロックコポリマーが挙げられる。好適なブロックポリオキシエチレン−ポリプロピレンポリマー界面活性剤としては、初期の反応性水素化合物として、エチレングリコール、プロピレングリコール、グリセロール、トリメチロールプロパン及びエチレンジアミンに基づくものが挙げられる。初期化合物とＣ１２〜１８脂肪族アルコールなどの単一の反応性水素原子との連続したエトキシ化及びプロポキシ化により作製されるポリマー化合物は、一般に、シクロデキストリンと相溶性ではない。ＢＡＳＦ−Ｗｙａｎｄｏｔｔｅ  Ｃｏｒｐ．（Ｗｙａｎｄｏｔｔｅ，Ｍｉｃｈｉｇａｎ）によってＰｌｕｒｏｎｉｃ（登録商標）及びＴｅｔｒｏｎｉｃ（登録商標）と命名された特定のブロックポリマー界面活性剤化合物が、容易に入手可能である。
【００６９】
このタイプのシクロデキストリン相溶性湿潤剤の非限定例は、米国特許第５，７１４，１３７号に記載されており、Ｍｏｍｅｎｔｉｖｅ  Ｐｅｒｆｏｒｍａｎｃｅ  Ｃｈｅｍｉｃａｌ（Ａｌｂａｎｙ、Ｎｅｗ  Ｙｏｒｋ）から入手可能なＳｉｌｗｅｔ（登録商標）という界面活性剤が挙げられる。例示的なＳｉｌｗｅｔ界面活性剤は、以下のとおりである。
【００７０】
【表２】
2019510566.tif 000010
及びそれらの混合物。
【００７１】
フレッシュニング組成物中の界面活性剤（例えば、可溶化剤、湿潤剤）の総量は、当該組成物の０重量％〜約３重量％又は３重量％以下、代替として０重量％〜約１重量％又は１重量％以下、代替として０重量％〜約０．９重量％又は０．９重量％以下、代替として０重量％〜約０．７重量％又は０．７重量％以下、代替として０重量％〜約０．５重量％又は０．５重量％以下、代替として０重量％〜０．３重量％又は約０．３重量％以下である。濃度の高い組成物ほど、布地が汚れの影響を受けやすくなり得、かつ／又は溶液が蒸発すると、許容不能な目に見える染みが布地上に残り得る。
【００７２】
硫黄含有プロ香料と総界面活性剤との重量比は、約１：１〜約１：６０又は約１：１〜約１：３０とすることができる。
【００７３】
担体
水性組成物は、担体を含む。使用される担体は、水であってもよい。水は蒸留されていてもよく、脱イオン化されていてもよく、水道水であってもよく、又はさらに精製形態の水であってもよい。水は、水溶液である組成物に任意の量で存在していてもよい。水は、上記フレッシュニング組成物の約８５重量％〜９９．５重量％、代替として、約９０重量％〜約９９．５重量％、代替として約９２重量％〜約９９．５重量％、代替として約９５重量％の量で存在することができる。少量の低分子量の一価アルコール、（例えばエタノール、メタノール、及びイソプロパノール、又はエチレングリコール及びプロピレングリコールなどのポリオール）を含有する水も有用であり得る。しかし、エタノール及び／又はイソプロパノールなどの揮発性の低分子量一価アルコールは制限すべきであり、これは、これらの揮発性有機化合物が、引火性の問題と環境汚染の問題の双方の一因になるからである。少量の低分子量一価アルコールを、香料として、及び一部の防腐剤の安定化剤としてフレッシュニング組成物に添加したために、少量の低分子量一価アルコールが当該組成物中に存在する場合、一価アルコールの濃度は、フレッシュニング組成物の約６重量％未満、代替として約３重量％未満、代替として約１重量％未満とすることができる。
【００７４】
アジュバントを公知の目的で、本明細書のフレッシュニング組成物に任意選択で加えることができる。このようなアジュバントとしては、限定するものではないが、水溶性金属塩、帯電防止剤、昆虫及び蛾忌避剤、着色剤、酸化防止剤、及びこれらの混合物が挙げられる。
【００７５】
作製方法
フレッシュニング組成物は、当分野において公知の任意の好適な方法で作製することができる。成分のすべてを単に、一緒に混合することができる。作製方法は、成分の濃縮混合物を作製すること、及び組成物を空気中又は無生物表面上に散布する前に、当該濃縮混合物を担体に加えることによってこの濃縮混合物を希釈することを含むことができる。製作方法は、硫黄含有プロ香料を除くすべての成分を混合することと、続いて、硫黄含有プロ香料を他の成分の混合物に加えることとを含むことができる。本方法はまた、組成物の他の成分と混合する前に、硫黄含有プロ香料を、可溶化剤、ポリオール、及び／又は緩衝剤などの一部の成分とあらかじめ混合することを含むことができる。
【００７６】
フレッシュニング製品
本フレッシュニング組成物は、好適なパッケージに包装されて、フレッシュニング製品を形成することができる。この包装は、スプレーディスペンサの形態であってもよい。
【００７７】
本フレッシュニング組成物がフレッシュニング製品の外側から目視可能であるか、又は少なくとも一部が目視可能であるよう、スプレーディスペンサは透明又は半透明とすることができる。
【００７８】
スプレーディスペンサは、プラスチック、金属、ガラス、又はそれらの組合せを含めた、様々な材料からなることができる。スプレーディスペンサは、加圧されていてもよく、又は加圧されていなくてもよい。
【００７９】
１つの好適なスプレーディスペンサは、プラスチック製のエアゾールディスペンサである。ディスペンサは、以下で構築され得る：高密度ポリエチレンなどのポリエチレン；ポリプロピレン、ポリエチレンテレフタレート（「ＰＥＴ」）；酢酸ビニル、ゴムエラストマー、及びこれらの組み合わせ。スプレーディスペンサは、透明なＰＥＴで作製されていてもよい。
【００８０】
別の好適なスプレーディスペンサには、Ａｆａ  Ｄｉｓｐｅｎｓｉｎｇ  ＧｒｏｕｐからのＦＬＡＩＲＯＳＯＬ（商標）ディスペンサなどの連続動作式スプレー装置が挙げられる。ＦＬＡＩＲＯＳＯＬ（商標）ディスペンサは、事前圧縮スプレーエンジンを備えたバッグ・イン・バッグ又はバッグ・イン・缶の容器、及びフレッシュニング組成物のエアゾール樣圧縮器を含む。
【００８１】
スプレーディスペンサは、様々な量のフレッシュニング組成物を保持することができる。
【００８２】
スプレーディスペンサは、約１００ｋＰａ〜約９７０ｋＰａ、代替として約６００〜約９００ｋＰａ（約２０ｐ．ｓ．ｉゲージ圧〜約１４０ｐｓｉゲージ圧、代替として約８０〜約１３０ｐ．ｓ．ｉゲージ圧）の範囲の内圧に耐えることが可能となり得る。
【００８３】
組成物の全排出量及び噴霧液滴／粒子サイズ分布は、粒子除去の有効性を支持するが、表面が湿潤するという問題を回避するように選択され得る。全排出量は、スプレーディスペンサから放出される組成物の流速によって決定される。最小限の表面湿潤を生じさせるスプレープロファイルを得るために、流速を低下させ、かつ噴霧液滴を小さくすることが望ましい。
【００８４】
流速は、使用期間の任意の６０秒の間に容器によって放出される組成物の割合を測定することによって決定される。スプレーディスペンサから放出される組成物の流速は、約０．０００１グラム／秒（ｇ／ｓ）〜約２．５グラム／秒とすることができる。代替として、流速は、約０．００１グラム／秒〜約１．８グラム／秒、又は約０．０１グラム／秒〜約１．６グラム／秒とすることができる。
【００８５】
噴霧液滴の平均粒径は、約１０μｍ〜約１００μｍ、あるいは約２０μｍ〜約６０μｍの範囲であり得る。噴霧液滴の少なくともいくつかは、少なくとも約１０分間、場合によっては、少なくとも約１５分間、又は少なくとも約３０分間、空気中に浮遊するのに十分な程度小さなサイズである。
【００８６】
噴霧が広い円錐角で分注されるときに、小さい粒子を効率的に作り出すことができる。所与のノズル構成要素及び送達管に関して、送達管のノズルの挿入深さを変更することによって円錐角を修正することができる。この円錐角は、約２０度超、又は約３０度超、又は約３５度超、又は約４０度超、又は約５０度超とすることができる。
【００８７】
スプレーディスペンサは、容器の基部に平行な角度と容器の基部に垂直な角度との間の角度で組成物を噴霧するように構成され得る。噴霧液滴の所望のサイズは、狭い範囲の液滴サイズを供給するように設定することができる他のタイプのスプレーディスペンサによって送達することができる。このような他のスプレーディスペンサとしては、限定するものではないが、噴霧器、超音波ネブライザー、静電噴霧機、及び回転ディスク噴霧機が挙げられる。
【００８８】
加圧スプレーディスペンサは、噴射剤を含んでもよい。様々な噴射剤が使用されてもよい。噴射剤は、炭化水素；窒素、二酸化炭素、空気などの圧縮ガス；液化ガス又はヒドロフルオロオレフィン（「ＨＦＯ」）；及びそれらの混合物を含むことができる。好ましくは、製品は、圧縮空気、圧縮窒素、及びそれらの組合せなどの圧縮ガスからなる群から選択される噴射剤を含む。米国官報４９  Ｃ．Ｆ．Ｒ．§１．７３．１１５、第２部、２．２項に列挙されている噴射剤が、許容可能なものと考えられる。噴射剤は、特に、ｔｒａｎｓ−１，３，３，３−テトラフルオロプロパ−１−エン、及び任意選択的にＣＡＳ番号１６４５−８３−６のガスを含むことができる。このような噴射剤は、これらが不燃であるという利益を提供するが、フレッシュニング組成物は不燃噴射剤に限定されない。このような噴射剤の１つは、Ｈｏｎｅｙｗｅｌｌ  Ｉｎｔｅｒｎａｔｉｏｎａｌ（Ｍｏｒｒｉｓｔｏｗｎ，Ｎｅｗ  Ｊｅｒｓｅｙ）から商標名ＨＦＯ−１２３４ｚｅ又はＧＷＰ−６で市販されている。
【００８９】
所望の場合、噴射剤は、凝縮性であり得る。「凝縮性」とは、スプレーディスペンサ内及び使用時に生じる圧力下において、噴射剤が、気体状の物質から液体状の物質へと変化することを意味する。一般的に、最高圧力は、スプレーディスペンサにフレッシュニング組成物を充填した後であるが、ユーザによってこのフレッシュニング組成物が最初に分注される前に生じる。凝縮性噴射剤は、使用中にフレッシュニング組成物が枯渇するにつれて、減圧曲線がより平坦化する利益をもたらす。
【００９０】
加圧スプレーディスペンサは、炭化水素噴射剤を含まなくてもよい。
【００９１】
本フレッシュニング組成物は、限定するものではないが、スプレーディスペンサ内のフレッシュニング組成物の流れを制御しかつ当該組成物を密封するための弁、ボタンアクチュエータ及び周囲にフレッシュニング組成物を分注するためのノズルなどの送達用の構成要素を含むスプレーディスペンサから送達され得る。
【００９２】
水性組成物は、バック・イン・缶型プラスチック製スプレーディスペンサに入れることができる。
【００９３】
本フレッシュニング組成物は、経時的に安定であり得る。好ましくは、本フレッシュニング組成物は、周囲温度において少なくとも１年間安定であり、より好ましくは周囲温度で少なくとも２年間安定であり、最も好ましくは、周囲温度で少なくとも３年間安定である。
【００９４】
好ましくは、本フレッシュニング組成物は、以下の実施例の項における方法によれば、４０未満、より好ましくは２０未満、より好ましくは１４未満、より好ましくは２０未満、より好ましくは７未満、より好ましくは５未満、及び最も好ましくは１未満のｂ＊値を有する。好ましくは、本フレッシュニング組成物の、経時後のｂ＊値と初期のｂ＊値とを比較した場合のｂ＊値の変化は、２０未満、好ましくは１４未満、好ましくは５．０未満、より好ましくは１未満、及び最も好ましくは０．５未満である。
【００９５】
使用方法
本フレッシュニング組成物は、散布することによって、例えば、スプレーディスペンサなどのディスペンサに本フレッシュニング組成物を入れ、有効量を空気中、又は所望の無生物表面若しくは物品上に噴霧することによって使用することができる。「有効量」とは、フレッシュニング組成物の量に関連して使用される場合、処理された空気、表面、又は物品にフレッシュ感又は香りを少なくとも約４時間、又は少なくとも約６時間、又は少なくとも約８時間、又は少なくとも約２４時間、供給するのに十分であるが、物品又は表面に液体が染みこむ又は液体の水溜りができ、乾いたときに目視で容易に認識可能な堆積物が存在するほどではない量を意味する。悪臭低減成分が含まれている場合、「有効量」とは、フレッシュニング組成物の量に関して使用される場合、前述の事項を提供し、また、ヒトの臭覚によって認識できない濃度まで悪臭を中和するが、物品又は表面に染みこむ又は液体の水溜りができ、乾いたときに目視で容易に認識可能な堆積物が存在するほどではない量を意味する。散布は、スプレー装置、ローラー、パッドなどを使用することにより達成される。
【実施例】
【００９６】
以下の表３〜６に概説されているとおりに組成物を製剤化して、硫黄含有プロ香料（以降、「活性成分」）がフレッシュニング組成物の安定性に及ぼす影響を評価した。
【００９７】
各組成物の最初の色を最初に測定し、次に、試料を５０摂氏度で２週間、密封したガラス製広口瓶の中で保存し、加速経時をシミュレートした。２週間の経時後、色の測定を再度、行った。周囲条件の場合の等価な安定性は、所与の温度について、アレニウスの式及びＩＣＨモデルなどの業界標準モデル（規制調和国際会議）に基づいて予測することができる。一般に、５０℃で２週間は、周囲温度での約１年の経時劣化を予測することが可能であることがわかった。５０℃で１か月は、周囲温度での約２年の経時劣化を予測することが可能であることがわかった。
【００９８】
各組成物の色は、製造業者の公開している指示書に準拠して、ＨｕｎｔｅｒＬａｂ  ＬａｂＳｃａｎ  ＸＥ分光光度計により、定量的に測定し、Ｌ＊ａ＊ｂ＊値を測定する。ＨｕｎｔｅｒＬａｂ  ＬａｂＳｃａｎ  ＸＥ分光光度計は、各試料に関する、Ｌ＊−ａ＊−ｂ＊色空間の読取値を与える。Ｈｕｎｔｅｒ  Ｌ＊−ａ＊−ｂ＊色空間は立方体内で体系化される。Ｌ＊軸は、上から下に延びている。Ｌ＊に関する最大値は１００であり、最小値は０であり、これは黒色となる。ａ＊及びｂ＊軸は、特定の数値限定はない。正のａ＊値は赤色である一方、負のａ＊値は緑色である。これらの実験の場合、本発明者らは、主に、Ｈｕｎｔｅｒ  ｂ＊値に注目し、この値は、試料がどの程度、黄色又は青色であるかの指標となる。正のｂ＊値は黄色である一方、負のｂ＊値は青色である。正のｂ＊値が大きいほど、試料はより「黄色」となる。言い方を変えると、ｂ＊値が増加する程、試料の色は暗くなる（オレンジ色、茶色、赤色など）。反対に、ｂ＊値が負に大きくなるほど、試料はより青色となる（透明、白色、青色）。
【００９９】
これらの実験の場合、本発明者らはまた、色の顕著な変化を見るため、初期のｂ＊色値と２週間の経時後のｂ＊値とを比較する。経時後のｂ＊値は、５０℃での２週間の経時後に測定した測定値である。初期ｂ＊から経時後のｂ＊までの差異が大きいほど、試料はより不安定となり、逆に、初期ｂ＊から経時後のｂ＊までの差異が小さいほど、製品はより安定となる。
【０１００】
表２、４及び５の組成物中では、同じ香料混合物を使用し（「香料混合物１」とさらに称する）、この香料混合物は、ヘリオナール、カントキサール、バニリン、エチルバニリン、ベータイオノン、アントラニル酸ジメチル及びシトラールなどの不安定な香料原料を含有し、いくつかの他の香料原料と混合する。
【０１０１】
実験１：活性成分による組成物安定性改善の観察
一連の最初の実験は、通常は不安定な香料混合物を、以下の表２に列挙されている酸性緩衝剤及び他の成分を含有する水性組成物に配合したときに、活性成分により安定性が改善することを実証している。
【０１０２】
【表３】
2019510566.tif 000011
＊他の成分は、湿潤性界面活性剤、防腐剤、アルコール及びシクロデキストリンを含み、表２及び表３中のすべての組成物に関して同一である。
【０１０３】
図１中で示されているとおり、組成物Ａは、非常に不安定であり、初期から経時後のｂ＊値まで無視できるほどの色変化しかない。組成物Ｂもやはり非常に安定であり、無視できるほどの色変化であり、活性成分は、対照組成物の安定性に追加的な影響を及ぼさないことを実証している。組成物Ｃと組成物Ａとを比較すると、図１において、不安定な香料混合物は、組成物Ｃを不安定にすることを示しており、初期ｂ＊値から経時後のｂ＊値への顕著な変化を伴う。組成物Ｄは、組成物Ｃよりも初期及び経時後のｂ＊値に透明安定性の改善があることを示しており、安定性の改善は、活性成分の存在に起因することを実証している。
【０１０４】
実験２：活性成分及び不安定なアルデヒド香料原料による組成物安定性改善の観察
一連の第２の実験は、通常は不安定なアルデヒド香料原料を、以下の表３に列挙されている酸性緩衝剤及び他の成分を含有する水性組成物に個々に配合したときに、活性成分により安定性が改善することを実証している。
【０１０５】
【表４】
2019510566.tif 000012
＊他の成分は、湿潤性界面活性剤、防腐剤、アルコール及びシクロデキストリンを含み、表２及び表３では、すべての組成物に関して同一である。
【０１０６】
図２に示されているとおり、水性組成物中に配合されると通常不安定である、アルデヒド香料原料であるヘリオナールを配合することにより、組成物Ｅは、初期ｂ＊値から経時後のｂ＊値への顕著な変化を伴って、不安定になっている。組成物Ｅと組成物Ｆとを比較すると、組成物Ｆは、初期ｂ＊値から経時後のｂ＊値への変化がより小さいので、活性成分の存在に起因する透明安定性の改善が示されている。同様に図２に示されているとおり、水性組成物に配合されると通常不安定である、別のアルデヒド香料原料であるカントキサールを配合することにより、組成物Ｇは不安定になり、初期ｂ＊値から経時後のｂ＊値への顕著な変化がある。組成物Ｇと組成物Ｈとを比較すると、組成物Ｈは、初期ｂ＊値から経時後のｂ＊値への変化がより小さいので、活性成分の存在に起因する透明安定性の改善が示されている。
【０１０７】
実験３：酸性環境により触媒される硫黄含有プロ香料の安定性利益の観察
表４及び表５並びに図３中に列挙されている一連の第３の実験により、組成物に対する様々なタイプの安定性改善があることが実証される。
【０１０８】
【表５】
2019510566.tif 000013
【０１０９】
【表６】
2019510566.tif 000014
【０１１０】
図３中に示されているとおり、活性成分による安定性改善の大きさは、製剤環境に依存する。活性成分の効果は、組成物Ｉ、Ｋ、Ｍ及びＯとそれぞれ比較した、組成物Ｊ、Ｌ、Ｎ及びＰにおいて示される。組成物Ｌ及びＪに示されているとおり、全体的なｂ＊値は酸性環境ではより小さく、活性成分による安定性の改善は酸性環境で増強される。全体的なｂ＊値がより高い場合でさえも、組成物Ｎ及びＰでは、依然として活性成分による安定性改善がある。組成物Ｒ及びＱにおいて示されているとおり、組成物Ｉ〜Ｐと比較すると、８．５〜９．５のｐＨ範囲により示される製剤環境は、活性成分の安定性寄与を無効にし得る。
【０１１１】
本明細書のすべての百分率は、特に指定のないかぎり、重量で記述されている。本明細書全体を通じて与えられるあらゆる最大数値限定は、それより低いあらゆる数値限定を、そのようなより低い数値限定が本明細書に明確に記載されているかのように含むことを理解すべきである。本明細書の全体を通して示されるすべての最小数値限定は、それよりも高いすべての数値限定を、このようなより高い数値限定があたかも本明細書に明確に記載されているかのように包含する。本明細書の全体を通して示されるすべての数値範囲は、このような広い数値範囲内に収まるより狭いすべての数値範囲を、このようなより狭い数値範囲がすべてあたかも本明細書に明確に記載されているかのように包含する。
【０１１２】
本明細書に開示した寸法及び値は、列挙された正確な数値に厳密に限定されるものと理解されるべきではない。むしろ、特に指定されないかぎり、そのような各寸法は、列挙された値とその値の周辺の機能的に同等の範囲の両方を意味することが意図されている。例えば、「４０ｍｍ」として開示される寸法は、「約４０ｍｍ」を意味することが意図される。
【０１１３】
相互参照される又は関連特許若しくは出願のいずれも含めた、本明細書に引用されているすべての文書は、明示的に除外される、又は特に限定されないかぎり、参照によりその全体が本明細書に組み込まれている。いかなる文献の引用をも、本明細書中で開示又は特許請求されている任意の発明に関する先行技術であるとは認められず、あるいは上記の引用は、単独で又は他の任意の参考文献（単数又は複数）と組み合わせて、そのような任意の発明を教示、示唆又は開示するとは認められない。さらに、本文書における用語の任意の意味又は定義が、参照により組み込まれた文書内の同じ用語の意味又は定義と矛盾する場合、本文書におけるその用語に割り当てられた意味又は定義が適用されるものとする。
【０１１４】
特定の実施形態を例示して説明したが、様々な他の変更及び修正が、本発明の趣旨及び範囲から逸脱することなく行い得ることが、当業者には明らかである。したがって、本発明の範囲内にあるそのようなすべての変更及び修正を添付の特許請求の範囲に網羅することが意図されている。
【図１】
2019510566.tif 000015
【図２】
2019510566.tif 000016
【図３】
2019510566.tif 000017
【国際調査報告】
2019510566.tif 000018
2019510566.tif 000019
2019510566.tif 000020